(57)【要約】【課題】シート上に表示された情報を被着体に貼着された状態から手間をかけずに分断して情報の漏洩を回避する。【解決手段】情報が表示される貼付票１２が分離可能に区画形成された伝票シート１０と、伝票シート１０の情報が表示される面とは反対側の面に中間シート２０を介して剥離可能に貼着された剥離シート３０とを有し、伝票シート１０は、貼付票１２の外縁上に両端部を具備し、貼付票１２を横切ることによって貼付票１２を複数の領域に分離する複数のスリット１３が伝票シート１０を貫通して形成され、剥離シート３０は、貼付票１２の外縁に沿う領域において、スリット１３によって分離された複数の領域を跨ぐように設けられ、剥離シート３０から分離可能に区画形成された分離部３２を有する。【選択図】図１
2020024251.tif 000002
【特許請求の範囲】
【請求項１】
情報が表示される情報表示部が分離可能に区画形成された第１のシートと、
前記第１のシートの前記情報が表示される面とは反対側の面に剥離可能に貼着された剥離シートとを有し、
前記第１のシートには、前記情報表示部を互いに交差することなく横切ることによって前記情報表示部を複数の領域に分離する複数の切り込み線が、当該第１のシートを貫通して形成され、
前記剥離シートは、前記情報表示部の外縁に沿う領域にて前記複数の領域を跨ぐように設けられ、当該剥離シートから分離可能に区画形成された第１の分離部を有する、情報保護ラベル。
【請求項２】
請求項１に記載の情報保護ラベルにおいて、
前記第１のシートと前記剥離シートとの間に、前記第１のシートと擬似貼着されるとともに、前記剥離シートに剥離可能に貼着された第２のシートを有し、
前記第２のシートは、前記第１の分離部に対向する領域に、当該第２のシートから分離可能に区画形成された第２の分離部を有する、情報保護ラベル。
【請求項３】
請求項１または請求項２に記載の情報保護ラベルにおいて、
前記複数の切り込み線は、前記情報表示部における情報の印字方向とは非平行な方向に延びている、情報保護ラベル。
【請求項４】
請求項１乃至３のいずれか１項に記載の情報保護ラベルにおいて、
前記剥離シートは、前記第１の分離部のうち前記情報表示部の外縁に対向する領域を含む一部の領域に貫通孔を有する、情報保護ラベル。
【発明の詳細な説明】
【技術分野】
【０００１】
本発明は、情報が表示されるラベルに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、基材の一部に先端部がＵ字状の切り取り線を形成し、被着体に貼着された状態から、切り取り線の内側の領域を剥離部として基材から分離することで、基材の表面に表示された個人情報を破壊して読み取りにくくする構成を有する宛名ラベルが特許文献１に開示されている。この宛名ラベルを配送ラベルとして用いた場合、配送ラベルが貼着された配送物が配送先に届けられた後に、切り取り線の内側の領域を剥離部として基材から分離することで、配送ラベルが、配送物から剥離される部分と配送物に貼着されたままとなる部分とに分割される。それにより、個人情報が破壊されることになり、個人情報の漏洩を回避することができる。
【先行技術文献】
【特許文献】
【０００４】
【特許文献１】特許第５９３５４２７号公報
【発明の概要】
【発明が解決しようとする課題】
【０００５】
上述したように、特許文献１に開示されたものは、配送物等の被着体に貼着された後に剥離した際、被着体から剥離される部分と、被着体に貼着されたままとなる部分との複数の領域に分割されるものである。そのため、被着体から剥離された状態においては被着体にはラベルの一部が貼着されたままとなっており、被着体からラベルを完全に除去するには、ラベルの貼着されたままとなっている部分を剥離しなければならず、そのための手間がかかってしまうという問題点がある。特に、被着体に貼着されたままとなっている部分が複数の領域に分離されている場合、分離された複数の領域を１つずつ被着体から剥離しなければならず、かなり煩雑な手間となってしまう。
【０００６】
本発明は、上述したような従来の技術が有する問題点に鑑みてなされたものであって、シート上に表示された情報を被着体に貼着された状態から手間をかけずに分断して情報の漏洩を回避できる情報保護ラベルを提供することを目的とする。
【課題を解決するための手段】
【０００７】
上記目的を達成するために本発明は、
情報が表示される情報表示部が分離可能に区画形成された第１のシートと、
前記第１のシートの前記情報が表示される面とは反対側の面に剥離可能に貼着された剥離シートとを有し、
前記第１のシートには、前記情報表示部を互いに交差することなく横切ることによって前記情報表示部を複数の領域に分離する複数の切り込み線が、当該第１のシートを貫通して形成され、
前記剥離シートは、前記情報表示部の外縁に沿う領域にて前記複数の領域を跨ぐように設けられ、当該剥離シートから分離可能に区画形成された第１の分離部を有する。
【０００８】
上記のように構成された本発明においては、被着体に貼着された第１のシートのうち情報表示部を第１のシートから分離して被着体から剥離する際、第１のシートには、情報表示部を互いに交差することなく横切ることによって情報表示部を複数の領域に分離する複数の切り込み線が第１のシートを貫通して形成されているものの、情報表示部の外縁に沿う領域には、第１のシートが被着体に貼着される前に第１のシートに剥離可能に貼着されていた剥離シートから分離した第１の分離部が、情報表示部の複数の領域を跨ぐように貼着されているため、この第１の分離部を剥離開始端部として情報表示部を複数の領域が一体となった状態で被着体から剥離することができる。その後、情報表示部に貼着された第１の分離部を情報表示部から剥離すると、情報表示部が複数の切り込み線によって複数の領域に分離されることになり、情報表示部に表示された情報が認識困難なものとなり、情報の漏洩が回避されることとなる。
【０００９】
このように、被着体に貼着された情報表示部を、剥離シートから分離した第１の分離部とともに被着体から剥離し、その後、情報表示部から第１の分離部を剥離するだけで、情報表示部が複数の領域に分離されることとなり、シート上に表示された情報を被着体に貼着された状態から手間をかけずに分断して情報の漏洩を回避できる。
【００１０】
また、第１のシートと剥離シートとの間に、第１のシートと擬似貼着されるとともに、剥離シートに剥離可能に貼着された第２のシートを有し、第２のシートが、第１の分離部に対向する領域に、第２のシートから分離可能に区画形成された第２の分離部を有するというように、シート基材が２層構造となったラベルとしてもよい。
【００１１】
また、複数の切り込み線が、情報表示部における情報の印字方向とは非平行な方向に延びていれば、複数の切り込み線の間隔が広かったり、情報表示部に表示される情報の文字の大きさが小さかったりした場合でも、情報表示部が切り込み線によって複数の領域に分離した際に、情報表示部に表示された情報が認識困難なものとなる。
【００１２】
また、剥離シートが、第１の分離部のうち情報表示部の外縁に対向する領域を含む一部の領域に貫通孔を有する構成とすれば、被着体に貼着された状態において、第１の分離部に対向する領域が被着体から不用意に剥離しにくくなる。
【発明の効果】
【００１３】
本発明によれば、情報が表示される情報表示部が分離可能に区画形成された第１のシートに、情報表示部を互いに交差することなく横切ることによって情報表示部を複数の領域に分離する複数の切り込み線が第１のシートを貫通して形成され、第１のシートの情報が表示される面とは反対側の面に剥離可能に貼着された剥離シートが、情報表示部の外縁に沿う領域にて複数の領域を跨ぐように設けられ、剥離シートから分離可能に区画形成された第１の分離部を有する構成としたため、被着体に貼着された情報表示部を、剥離シートから分離した第１の分離部とともに被着体から剥離し、その後、情報表示部から第１の分離部を剥離するだけで、情報表示部が複数の領域に分離されることとなり、シート上に表示された情報を被着体に貼着された状態から手間をかけずに分断して情報の漏洩を回避できる。
【００１４】
また、複数の切り込み線が、情報表示部における情報の印字方向とは非平行な方向に延びているものにおいては、複数の切り込み線の間隔が広かったり、情報表示部に表示される情報の文字の大きさが小さかったりした場合でも、情報表示部が切り込み線によって複数の領域に分離した際に、情報表示部に表示された情報を認識困難なものとすることができる。
【００１５】
また、剥離シートが、第１の分離部のうち情報表示部の外縁に対向する領域を含む一部の領域に貫通孔を有するものにおいては、被着体に貼着された状態において、第１の分離部に対向する領域が被着体から不用意に剥離しにくくすることができる。
【図面の簡単な説明】
【００１６】
【図１】本発明の情報保護ラベルの第１の実施の形態を示す図であり、（ａ）は表面図、（ｂ）は（ａ）に示したＡ−Ａ’断面図、（ｃ）は剥離シートの構成を示す図である。
【図２】図１に示した配送ラベルが配送物に貼着されるまでの使用方法を説明するための図である。
【図３】図１に示した配送ラベルが配送物に貼着されるまでの使用方法を説明するための図である。
【図４】配送物の配送先に配送される際の配送ラベルの使用方法を説明するための図である。
【図５】配送物の配送先に配送された後の配送ラベルの使用方法を説明するための図である。
【図６】配送物の配送先に配送された後の配送ラベルの使用方法を説明するための図であり、（ａ）は、配送物から分離された貼付票の状態を示す図、（ｂ）は（ａ）に示したＡ−Ａ’断面図、（ｃ）は貼付票から分離部が分離された状態を示す図である。
【図７】本発明の情報保護ラベルの第２の実施の形態を示す図であり、（ａ）は表面図、（ｂ）は（ａ）に示したＡ−Ａ’断面図、（ｃ）は剥離シートの構成を示す図である。
【図８】図７に示した配送ラベルが配送物に貼着される際の効果を説明するための図である。
【図９】本発明の情報保護ラベルの第３の実施の形態を示す図であり、（ａ）は表面図、（ｂ）は（ａ）に示したＡ−Ａ’断面図、（ｃ）は剥離シートの構成を示す図である。
【図１０】図９に示した配送ラベルが配送物に貼着されるまでの使用方法を説明するための図である。
【図１１】図９に示した配送ラベルが配送物に貼着されるまでの使用方法を説明するための図である。
【図１２】配送物の配送先に配送される際の配送ラベルの使用方法を説明するための図である。
【図１３】配送物の配送先に配送された後の配送ラベルの使用方法を説明するための図である。
【図１４】配送物の配送先に配送された後の配送ラベルの使用方法を説明するための図であり、（ａ）は、配送物から分離された貼付票の状態を示す図、（ｂ）は（ａ）に示したＡ−Ａ’断面図、（ｃ）は貼付票から分離部が分離された状態を示す図である。
【図１５】本発明の情報保護ラベルの第４の実施の形態を示す図であり、（ａ）は表面図、（ｂ）は（ａ）に示したＡ−Ａ’断面図、（ｃ）は剥離シートの構成を示す図である。
【発明を実施するための形態】
【００１７】
以下に、本発明の実施の形態について図面を参照して説明する。
【００１８】
（第１の実施の形態）
図１は、本発明の情報保護ラベルの第１の実施の形態を示す図であり、（ａ）は表面図、（ｂ）は（ａ）に示したＡ−Ａ’断面図、（ｃ）は剥離シート３０の構成を示す図である。
【００１９】
本形態は図１に示すように、伝票シート１０と中間シート２０とが擬似接着層４０によって剥離可能に擬似貼着されているとともに、中間シート２０の伝票シート１０との貼着面とは反対側の面に粘着剤層５０を介して剥離シート３０が剥離可能に貼着された配送ラベル１である。
【００２０】
伝票シート１０は、本願発明における第１のシートを構成し、配達票１１と貼付票１２とがスリット１４を介して分離可能に区画形成されて構成されている。
【００２１】
配達票１１には、この配送ラベル１が貼着されて配送される配送物の配送先の住所や氏名等の宛先情報が印字される配送情報表示欄１１ａが設けられているとともに、配達票１１を中間シート２０から剥離する際の剥離開始端部及び剥離方向を示す剥離開始マーク１１ｂが貼付票１２に隣接する１つの角部に表示されている。
【００２２】
貼付票１２は、本願発明における情報表示部となるものであって、この配送ラベル１が貼着されて配送される配送物の配送先の住所や氏名等の宛先情報が印字される配送情報表示欄１２ａが設けられているとともに、貼付票１２を中間シート２０から剥離する際の剥離開始端部及び剥離方向を示す剥離開始マーク１２ｂが、貼付票１２の端辺のうち配達票１１と貼付票１２との連接方向に延びる端辺に沿う領域に表示されている。さらに貼付票１２には、切り込み線となるスリット１３が伝票シート１０を貫通して複数形成されている。この複数のスリット１３は、貼付票１２の外縁上のうち剥離開始マーク１２ｂが沿う第１の端辺上に一端を有し、そこから貼付票１２の外縁上のうち第１の端辺に対向する第２の端辺に向かって互いに交差することなく並行して延びることで貼付票１２を横切り、第２の端辺上に他端を有している。このように複数のスリット１３は、貼付票１２の対向する端辺間を並行して延びることで、貼付票１２を複数の領域に分離するものとなっている。
【００２３】
伝票シート１０の裏面に積層された擬似接着層４０は、ニス層４２と接着剤層４１とが積層されて構成されており、ニス層４２が伝票シート１０側となるようにして伝票シート１０に積層されている。
【００２４】
中間シート２０は、本願発明における第２のシートを構成するものであって、擬似接着層４０によって伝票シート１０に剥離可能に擬似貼着されている。中間シート２０には、その外縁のうち、貼付票１２の剥離開始マーク１２ｂが沿う端辺に重なる端辺に沿う領域に、貼付票１２のスリット１３によって分離される複数の領域を跨ぐ第２の分離部２２がスリット２１によって中間シート２０から分離可能に区画形成されている。中間シート２０の擬似接着層４０とは反対側の面には、その全面に粘着剤が塗布されることで粘着剤層５０が積層され、この粘着剤層５０によって剥離シート３０が剥離可能に貼着されている。なお、中間シート２０、粘着剤層５０及び剥離シート３０としては、中間シート２０と剥離シート３０が粘着剤層５０を介して剥離可能に貼着されたタック紙を用いることが考えられる。
【００２５】
剥離シート３０は、伝票シート１０及び中間シート２０よりも一回り大きな形状を有している。剥離シート３０には、中間シート２０の分離部２２に対向して第１の分離部３２がスリット３１によって剥離シート３０から分離可能に区画形成されている。
【００２６】
以下に、上記のように構成された配送ラベル１の使用方法及びその際の作用について説明する。
【００２７】
図２及び図３は、図１に示した配送ラベル１が配送物に貼着されるまでの使用方法を説明するための図である。
【００２８】
図１に示した配送ラベル１を使用する場合は、まず、図２（ａ）に示すように、配送情報表示欄１１ａ，１２ａに、この配送ラベル１が貼着されて配送される配送物の配送先の住所や氏名等の配送情報１１ｃ，１２ｃが印字される。
【００２９】
配送情報表示欄１１ａ，１２ａに配送情報１１ｃ，１２ｃが印字された後、中間シート２０から剥離シート３０が剥離される。
【００３０】
その際、剥離シート３０には、スリット３１によって分離部３２が剥離シート３０から分離可能に区画形成されているため、図２（ｂ）に示すように、貼付票１２の外縁に沿う領域において、分離部３２が剥離シート３０から分離されて粘着剤層５０によって中間シート２０に貼着されたままとなる。そして、分離部３２以外の領域にて表出した粘着剤層５０によって、図３に示すように配送ラベル１が配送物２に貼着される。
【００３１】
このようにして配送ラベル１が貼着された配送物２は、配送情報表示欄１１ａ，１２ａに表示された配送情報１１ｃ，１２ｃに従って、配送物２の配送先に配送されていく。
【００３２】
図４は、配送物２の配送先に配送される際の配送ラベル１の使用方法を説明するための図である。図５は、配送物２の配送先に配送された後の配送ラベル１の使用方法を説明するための図である。図６は、配送物２の配送先に配送された後の配送ラベル１の使用方法を説明するための図であり、（ａ）は、配送物２から分離された貼付票１２の状態を示す図、（ｂ）は（ａ）に示したＡ−Ａ’断面図、（ｃ）は貼付票１２から分離部２２，３２が分離された状態を示す図である。
【００３３】
上記のように配送ラベル１が貼着された配送物２が配送先に配送されると、図４（ａ）に示すように、配達票１１が配送ラベル１から分離される。配達票１１は、スリット１４を介して貼付票１２と分離可能となっているとともに、伝票シート１０の裏面に積層された擬似接着層４０によって中間シート２０に剥離可能に貼着されていることで、剥離開始マーク１１ｂに従って中間シート２０から剥離することができる。その際、配達票１１と貼付票１２との境界のうち、剥離開始マーク１１ｂ側の端部に、剥離開始マーク１１ｂ側の端部が配達票１１側に斜めに向いたカット部を有するジッパーをスリット１４の代わりに設けておけば、配達票１１を配送ラベル１から分離する力が配達票１１側に向かった場合でも、配達票１１の分離部分がスリット１４からずれて配達票１１が破断してしまうことが回避される。
【００３４】
中間シート２０から剥離された配達票１１は、配送業者によって持ち帰られて配送管理に用いられる。
【００３５】
このようにして、図４（ｂ）に示すように、配達票１１が配送物２から分離されることになる。
【００３６】
その後、配送物２の配送先においては、配送物２のパッケージ等の外装を廃棄する際、図５（ａ）に示すように、貼付票１２が配送ラベル１から分離される。配送ラベル１には、上述したように剥離シート３０から分離した分離部３２が貼付票１２の外縁に沿う領域に貼着されたままとなっているため、貼付票１２の縁から分離部３２と配送物２との間に指を容易に入れることができる。そして、中間シート２０には、剥離シート３０の分離部３２に対向する領域にスリット２１によって分離部２２が中間シート２０から分離可能に区画形成されているため、図５（ａ）に示すように、剥離開始マーク１２ｂに従って貼付票１２が剥離されていくことで、中間シート２０においても、分離部２２が中間シート２０から分離し、貼付票１２の配送情報１２ｃが表示されたスリット１３に挟まれた領域が中間シート２０の分離部２２以外の領域から剥離されていく。
【００３７】
ここで、貼付票１２の配送情報１２ｃが表示されたスリット１３に挟まれた領域は、スリット１３を介して複数の領域に分離されているため、中間シート２０から剥離された状態においては、ばらばらになってしまう。しかしながら、中間シート２０から剥離された貼付票１２には、その外縁に沿う領域において、貼付票１２のスリット１３によって分離される複数の領域に跨って中間シート２０の分離部２２及びこれに貼着された剥離シート３０の分離部３２が貼着されているため、貼付票１２の配送情報１２ｃが表示された領域の全てが一体となった状態で中間シート２０から剥離され、図５（ｂ）に示すように、貼付票１２の配送情報１２ｃが表示された領域が配送物２側に残存することなくその全てが配送物２から分離されることになる。
【００３８】
配送物２から分離した貼付票１２は、上述したように、貼付票１２の外縁上に両端部を具備するスリット１３によって複数の領域に分離されているものの、貼付票１２の外縁に沿う領域には、中間シート２０の分離部２２及びこれに貼着された剥離シート３０の分離部３２が複数の領域に跨って貼着されているため、図６（ａ），（ｂ）に示すように、一体となった状態となっている。
【００３９】
その後、貼付票１２に貼着された分離部２２，３２を貼付票１２から剥離することで分離すると、貼付票１２がスリット１３によって複数の領域に分離されることになり、図６（ｃ）に示すように、貼付票１２に表示された配送情報１２ｃが分断されて認識困難なものとなり、情報の漏洩が回避されることとなる。
【００４０】
このように、配送物２に貼着された貼付票１２を、中間シート２０から分離した分離部２２及び剥離シート３０から分離した分離部３２とともに配送物２から剥離し、その後、貼付票１２から分離部２２，３２を剥離することで、貼付票１２が複数の領域に分離されることとなり、貼付票１２に表示された配送情報１２ｃを配送物２に貼着された状態から手間をかけずに分断して情報の漏洩を回避できる。
【００４１】
（第２の実施の形態）
図７は、本発明の情報保護ラベルの第２の実施の形態を示す図であり、（ａ）は表面図、（ｂ）は（ａ）に示したＡ−Ａ’断面図、（ｃ）は剥離シート１３０の構成を示す図である。
【００４２】
本形態は図７に示すように、図１に示したものに対して、中間シート１２０と剥離シート１３０のそれぞれに分離可能に区画形成された分離部１２２，１３２の形状が異なる配送ラベル１０１である。本形態の配送ラベル１０１における分離部１２２，１３２は、貼付票１２の端辺に対向する２ヶ所の部分が内側に凹んだ形状を有している。
【００４３】
以下に、上記のように構成された配送ラベル１０１の効果について説明する。
【００４４】
図８は、図７に示した配送ラベル１０１が配送物に貼着される際の効果を説明するための図である。
【００４５】
上述したように本形態の配送ラベル１０１における分離部１２２，１３２は、貼付票１２の端辺に対向する２ヶ所の部分が内側に凹んだ形状を有している。そのため、図８（ａ）に示すように、配送情報表示欄１１ａ，１２ａに、この配送ラベル１が貼着されて配送される配送物の配送先の住所や氏名等の配送情報１１ｃ，１２ｃが印字された後、中間シート１２０から剥離シート１３０が剥離され、分離部１３２が剥離シート１３０から分離されて粘着剤層５０によって中間シート１２０に貼着されたままとなった状態においては、図８（ｂ）に示すように、分離部１３２の凹んだ領域、すなわち、分離部１３２のうち貼付票１２の外縁に対向する領域を含む一部の領域に、貫通孔１３３が生じることとなる。
【００４６】
剥離シート１３０が剥離された配送ラベル１０１は、剥離シート１３０が剥離されることで表出した粘着剤層５０によって配送物に貼着されることになるが、配送ラベル１０１と配送物との間に分離部１３２が介在している領域においては、配送ラベル１０１が配送物に貼着されていない状態となる。しかしながら、分離部１３２に生じた貫通孔１３３を介しても粘着剤層５０が表出していることで、配送ラベル１０１と配送物との間に分離部１３２が介在している領域においても、貫通孔１３３において配送ラベル１０１と配送物とが貼着された状態となり、分離部１３２に対向する領域が配送物の配送途中等において配送物から不用意に剥離しにくくなる。
【００４７】
（第３の実施の形態）
図９は、本発明の情報保護ラベルの第３の実施の形態を示す図であり、（ａ）は表面図、（ｂ）は（ａ）に示したＡ−Ａ’断面図、（ｃ）は剥離シート２３０の構成を示す図である。
【００４８】
本形態は図９に示すように、伝票シート２１０と中間シート２２０とが擬似接着層４０によって剥離可能に擬似貼着されているとともに、中間シート２２０の伝票シート２１０との貼着面とは反対側の面に粘着剤層５０を介して剥離シート２３０が剥離可能に貼着された配送ラベル２０１である。
【００４９】
伝票シート２１０は、本願発明における第１のシートを構成し、配達票１１と貼付票２１２とがスリット１４を介して分離可能に区画形成されて構成されている。
【００５０】
配達票１１には、この配送ラベル２０１が貼着されて配送される配送物の配送先の住所や氏名等の宛先情報が印字される配送情報表示欄１１ａが設けられているとともに、配達票１１を中間シート２２０から剥離する際の剥離開始端部及び剥離方向を示す剥離開始マーク１１ｂが貼付票２１２に隣接する１つの角部に表示されている。
【００５１】
貼付票２１２は、本願発明における情報表示部となるものであって、この配送ラベル２０１が貼着されて配送される配送物の配送先の住所や氏名等の宛先情報が印字される配送情報表示欄１２ａが設けられているとともに、貼付票１２を中間シート２２０から剥離する際の剥離開始端部及び剥離方向を示す剥離開始マーク１２ｂが配達票１１に隣接する１つの角部に表示されている。さらに貼付票２１２には、切り込み線となるスリット２１３が伝票シート２１０を貫通して複数形成されている。この複数のスリット２１３は、貼付票２１２の外縁上のうち剥離開始マーク１２ｂが表示された角部の近傍の端辺上に一端を有し、そこから互いに交差することなく放射状に延びることで貼付票２１２を横切り、貼付票２１２の端辺上に他端を有している。このように複数のスリット２１３は、貼付票２１２の２つの端辺間を放射状に延びることで、貼付票２１２を複数の領域に分離するものとなっている。
【００５２】
伝票シート２１０の裏面に積層された擬似接着層４０は、ニス層４２と接着剤層４１とが積層されて構成されており、ニス層４２が伝票シート１０側となるようにして伝票シート２１０に積層されている。
【００５３】
中間シート２２０は、本願発明における第２のシートを構成するものであって、擬似接着層４０によって伝票シート２１０に剥離可能に擬似貼着されている。中間シート２２０には、その外縁のうち、貼付票２１２の剥離開始マーク１２ｂが表示された角部に、貼付票２１２のスリット２１３によって分離される複数の領域を跨ぐ三角形の第２の分離部２２２がスリット２２１によって中間シート２２０から分離可能に区画形成されている。中間シート２２０の擬似接着層４０とは反対側の面には、その全面に粘着剤が塗布されることで粘着剤層５０が積層され、この粘着剤層５０によって剥離可能に貼着されている。なお、中間シート２２０、粘着剤層５０及び剥離シート２３０としては、中間シート２２０と剥離シート２３０が粘着剤層５０を介して剥離可能に貼着されたタック紙を用いることが考えられる。
【００５４】
剥離シート２３０は、伝票シート２１０及び中間シート２２０よりも一回り大きな形状を有している。剥離シート２３０には、中間シート２２０の分離部２２２に対向して第１の分離部２３２がスリット２３１によって剥離シート２３０から分離可能に区画形成されている。
【００５５】
以下に、上記のように構成された配送ラベル２０１の使用方法及びその際の作用について説明する。
【００５６】
図１０及び図１１は、図９に示した配送ラベル２０１が配送物に貼着されるまでの使用方法を説明するための図である。
【００５７】
図９に示した配送ラベル２０１を使用する場合は、まず、図１０（ａ）に示すように、配送情報表示欄１１ａ，１２ａに、この配送ラベル２０１が貼着されて配送される配送物の配送先の住所や氏名等の配送情報１１ｃ，１２ｃが印字される。
【００５８】
配送情報表示欄１１ａ，１２ａに配送情報１１ｃ，１２ｃが印字された後、中間シート２２０から剥離シート２３０が剥離される。
【００５９】
その際、剥離シート２３０には、スリット２３１によって分離部２３２が剥離シート２３０から分離可能に区画形成されているため、図１０（ｂ）に示すように、貼付票２１２の剥離開始マーク１２ｂが表示された角部において、分離部２３２が剥離シート２３０から分離されて粘着剤層２５０によって中間シート２２０に貼着されたままとなる。そして、分離部２３２以外の領域にて表出した粘着剤層５０によって、図１１に示すように配送ラベル２０１が配送物２に貼着される。
【００６０】
このようにして配送ラベル２０１が貼着された配送物２は、配送情報表示欄１１ａ，１２ａに表示された配送情報１１ｃ，１２ｃに従って、配送物２の配送先に配送されていく。
【００６１】
図１２は、配送物２の配送先に配送される際の配送ラベル２０１の使用方法を説明するための図である。図１３は、配送物２の配送先に配送された後の配送ラベル２０１の使用方法を説明するための図である。図１４は、配送物２の配送先に配送された後の配送ラベル２０１の使用方法を説明するための図であり、（ａ）は、配送物２から分離された貼付票２１２の状態を示す図、（ｂ）は（ａ）に示したＡ−Ａ’断面図、（ｃ）は貼付票２１２から分離部２２２，２３２が分離された状態を示す図である。
【００６２】
上記のように配送ラベル２０１が貼着された配送物２が配送先に配送されると、図１２（ａ）に示すように、配達票１１が配送ラベル２０１から分離される。配達票１１は、スリット１４を介して貼付票２１２と分離可能となっているとともに、伝票シート２１０の裏面に積層された擬似接着層４０によって中間シート２２０に剥離可能に貼着されていることで、剥離開始マーク１１ｂに従って中間シート２２０から剥離することができる。その際、配達票１１と貼付票２１２との境界のうち、剥離開始マーク１１ｂ側の端部に、剥離開始マーク１１ｂ側の端部が配達票１１側に斜めに向いたカット部を有するジッパーをスリット１４の代わりに設けておけば、配達票１１を配送ラベル２０１から分離する力が配達票１１側に向かった場合でも、配達票１１の分離部分がスリット１４からずれて配達票１１が破断してしまうことが回避される。
【００６３】
中間シート２２０から剥離された配達票１１は、配送業者によって持ち帰られて配送管理に用いられる。
【００６４】
このようにして、図１２（ｂ）に示すように、配達票１１が配送物２から分離されることになる。
【００６５】
その後、配送物２の配送先においては、配送物２のパッケージ等の外装を廃棄する際、図１３（ａ）に示すように、貼付票２１２が配送ラベル２０１から分離される。配送ラベル２０１には、上述したように剥離シート２３０から分離した分離部２３２が貼付票２１２の剥離開始マーク１２ｂが表示された角部に貼着されたままとなっているため、貼付票２１２の剥離開始マーク１２ｂが表示された角部から分離部２３２と配送物２との間に指を容易に入れることができる。そして、中間シート２２０には、剥離シート２３０の分離部２３２に対向する領域にスリット２２１によって分離部２２２が中間シート２２０から分離可能に区画形成されているため、図１３（ａ）に示すように、剥離開始マーク１２ｂに従って貼付票２１２が剥離されていくことで、中間シート２２０においても、分離部２２２が中間シート２２０から分離し、貼付票２１２が中間シート２２０の分離部２２２以外の領域から剥離されていく。
【００６６】
ここで、中間シート２２０から剥離された貼付票２１２は、スリット２１３を介して複数の領域に分離されているため、中間シート２２０から剥離された状態においては、ばらばらになってしまう。しかしながら、中間シート２２０から剥離された貼付票２１２には、貼付票２１２の剥離開始マーク１２ｂが表示された角部において、貼付票２１２のスリット２１３によって分離される複数の領域に跨って中間シート２２０の分離部２２２及びこれに貼着された剥離シート２３０の分離部２３２が貼着されているため、貼付票２１２が一体となった状態で中間シート２２０から剥離され、図１３（ｂ）に示すように、貼付票２１２が配送物２側に残存することなくその全てが配送物２から分離されることになる。
【００６７】
配送物２から分離した貼付票２１２は、上述したように、貼付票２１２の外縁上に両端部を具備するスリット２１３によって複数の領域に分離されているものの、貼付票２１２の剥離開始マーク１２ｂが表示された角部には、中間シート２２０の分離部２２２及びこれに貼着された剥離シート２３０の分離部２３２が複数の領域に跨って貼着されているため、図１４（ａ），（ｂ）に示すように、一体となった状態となっている。
【００６８】
その後、貼付票２１２に貼着された分離部２２２，２３２を貼付票２１２から剥離することで分離すると、貼付票２１２がスリット２１３によって複数の領域に分離されることになり、図１４（ｃ）に示すように、貼付票２１２に表示された配送情報１２ｃが分断されて認識困難なものとなり、情報の漏洩が回避されることとなる。この際、本形態においては、貼付票２１２に形成された複数のスリット２１３が、貼付票２１２の剥離開始マーク１２ｂが表示された角部の近傍の端辺上に一端を有し、そこから放射状に延びることで貼付票２１２を横切り、貼付票２１２の端辺上に他端を有しているものであるため、複数のスリット２１３のそれぞれは、貼付票２１２における配送情報１２ｃの印字方向とは非平行な方向に延びていることになる。そのため、複数のスリット２１３の間隔が広かったり、貼付票２１２の配送情報表示欄１２ａに表示される配送情報１２ｃの文字の大きさが小さかったりした場合でも、貼付票２１２がスリット２１３によって複数の領域に分離した際に、貼付票２１２の配送情報表示欄１２ａに表示された配送情報１２ｃを認識困難なものとすることができる。なお、複数のスリット２１３が貼付票２１２における配送情報１２ｃの印字方向とは非平行な方向に延びた構成を実現するためには、複数のスリット２１３が放射状に延びた形態とするものに限らず、複数のスリット２１３が、貼付票２１２における配送情報１２ｃの印字方向とは直交する方向に延びた形態とするものであってもよい。
【００６９】
このように、配送物２に貼着された貼付票２１２を、中間シート２２０から分離した分離部２２２及び剥離シート２３０から分離した分離部２３２とともに配送物２から剥離し、その後、貼付票２１２から分離部２２２，２３２を剥離することで、貼付票２１２が複数の領域に分離されることとなり、貼付票２１２に表示された配送情報１２ｃを配送物２に貼着された状態から手間をかけずに分断して情報の漏洩を回避できる。
【００７０】
（第４の実施の形態）
図１５は、本発明の情報保護ラベルの第４の実施の形態を示す図であり、（ａ）は表面図、（ｂ）は（ａ）に示したＡ−Ａ’断面図、（ｃ）は剥離シート３０の構成を示す図である。
【００７１】
本形態は図１５に示すように、図１に示した配送ラベル１に対して、伝票シート１０の裏面の構成が異なる配送ラベル３０１である。
【００７２】
本形態における伝票シート１０の裏面には、その全面に、貼着後の剥離及び再貼着を可能とする再剥離糊が塗布されることで再剥離糊層３５０が積層され、この再剥離糊層３５０によって伝票シート１０が剥離シート３０と剥離可能に貼着されている。
【００７３】
上記のように構成された配送ラベル３０１においては、剥離シート３０が剥離されて再剥離糊層５３０によって配送物に貼着され、その後、配達票１１及び貼付票１２が配送ラベル３０１から分離されて配送物から剥離されることになる。配達票１１及び貼付票１２は、その裏面に、貼着後の剥離及び再貼着を可能とする再剥離糊が塗布されることで再剥離糊層３５０が積層されているため、被着体となる配送物から容易に剥離することができる。その際、第１の実施の形態にて示したものと同様に、剥離シート３０から分離した分離部３２が貼付票１２の外縁に沿う領域に貼着されたままとなっているため、貼付票１２の縁から分離部３２と配送物２との間に指を容易に入れることができる。そして、剥離開始マーク１２ｂに従って貼付票１２が配送物から剥離されていき、その後、貼付票１２に貼着された分離部３２を貼付票１２から剥離することで分離することにより、貼付票１２がスリット１３によって複数の領域に分離されることになる。それにより、貼付票１２に表示された配送情報が分断されて認識困難なものとなり、情報の漏洩が回避されることとなる。
【００７４】
なお、上述した実施の形態においては、分離部３２，１３２，２３２がスリット３１，１３１，２３１によって剥離シート３０，１３０，２３０から分離可能に区画形成されているが、スリット３１，１３１，２３１の代わりに、タイ部を有するミシン目等を用いることも考えられる。その場合、配送情報表示欄１１ａ，１２ａに配送情報を印字する際に、分離部３２，１３２，２３２が剥離シート３０，１３０，２３０から不用意に分離してしまうことを回避することができる。
【符号の説明】
【００７５】
１，１０１，２０１，３０１    配送ラベル
２    配送物
１０，２１０    伝票シート
１１    配達票
１１ａ，１２ａ    配送情報表示欄
１１ｂ，１２ｂ    剥離開始マーク
１１ｃ，１２ｃ    配送情報
１２，２１２    貼付票
１３，１４，２１，３１，１２１，１３１，２１３，２２１，２３１    スリット
２０，１２０，２２０    中間シート
２２，３２，１２２，１３２，２２２，２３２    分離部
３０，１３０，２３０    剥離シート
４０    擬似接着層
４１    接着剤層
４２    ニス層
５０    粘着剤層
１３３    貫通孔
３５０    再剥離糊層
【図１】
2020024251.tif 000003
【図２】
2020024251.tif 000004
【図３】
2020024251.tif 000005
【図４】
2020024251.tif 000006
【図５】
2020024251.tif 000007
【図６】
2020024251.tif 000008
【図７】
2020024251.tif 000009
【図８】
2020024251.tif 000010
【図９】
2020024251.tif 000011
【図１０】
2020024251.tif 000012
【図１１】
2020024251.tif 000013
【図１２】
2020024251.tif 000014
【図１３】
2020024251.tif 000015
【図１４】
2020024251.tif 000016
【図１５】
2020024251.tif 000017